(57)【要約】【課題】  構造簡易なアンカーボルトの提供。【解決手段】筒体と筒体の中空部に予め挿入される駒とを備えたアンカーボルトであって、前記筒体の外形はその挿入先端側の外径が後端側の外径よりも先端方向に向かって次第に小さく、前記筒体の中空部の内径はその後端側の内径よりも先端方向に向かって次第に小さく、前記筒体の先端側には先端から軸方向に向かって複数の切り込み部が形成され、予め後端側の中空部に挿入された駒を、先端側の中空部に叩き込んで前記筒体の先端側を拡大させて固定することを特徴とする。【選択図】        図４
2007284865.tif 000002
【特許請求の範囲】
【請求項１】
筒体と筒体の中空部に予め挿入される駒とを備えたアンカーボルトであって、前記筒体の外形はその挿入先端側の外径が後端側の外径よりも先端方向に向かって次第に小さく、前記筒体の中空部の内径はその後端側の内径よりも先端方向に向かって次第に小さく、前記筒体の先端側には先端から軸方向に向かって複数の切り込み部が形成され、
予め後端側の中空部に挿入された駒を、先端側の中空部に叩き込んで前記筒体の先端側を拡大させて固定することを特徴とするアンカーボルト。
【請求項２】
予め挿入される駒の先端側の外形は先端に向かって次第に小さいことを特徴とする請求項１に記載のアンカーボルト。
【請求項３】
駒は、駒の先端側が先端側の中空部に予め嵌合された状態であることを特徴とする請求項２に記載のアンカーボルト。
【請求項４】
筒体の挿入先端側の外周には、挿入方向に対しては抵抗が小さく、引き抜き方向に対しては抵抗が大きい引抜防止手段を設けたことを特徴とする請求項１乃至請求項３の何れかに記載のアンカーボルト。
【請求項５】
引抜防止手段は、筒体の軸方向断面において上辺が挿入先端側に向く台形状であることを特徴とする請求項４に記載のアンカーボルト。
【請求項６】
引抜防止手段は、台形状が複数重ねられた形状であることを特徴とする請求項５に記載のアンカーボルト。
【請求項７】
筒体の後端側には、当該筒体との連結の手掛かりとなる連結手段を備えたことを特徴とする請求項１乃至請求項６の何れかに記載のアンカーボルト。
【請求項８】
筒体の後端側の中空部の内周には、筒の後端からのボルトを受け入れる雌ネジが形成されていることを特徴とする請求項１乃至請求項４の何れかに記載のアンカーボルト。
【発明の詳細な説明】
【技術分野】
【０００１】
本発明は、コンクリート等、強固な面に打ち込まれて埋設固定されるアンカーボルトに関する。
【背景技術】
【０００２】
従来のアンカーボルトは、その構成部品点数が比較的多い上に、構造も複雑で、製作に多くの工程と比較的高度な技術を要するため、製作に時間を要する上コストが嵩むという不都合があった（特許文献１、２、３）。
【０００３】
【特許文献１】特開平０９−００４１３３号公報
【特許文献２】特開平１１−１３１４９０号公報
【特許文献３】特開２００４−１３２１４５号公報
【発明の開示】
【発明が解決しようとする課題】
【０００４】
本発明は、構成部品点数が少なく、構造が単純で製作工程も少なくて済み、比較的短時間に低価格で製作できるアンカーボルトの提供を目的とする。
【課題を解決するための手段】
【０００５】
請求項１のアンカーボルトの発明は、筒体と筒体の中空部に予め挿入される駒とを備えたアンカーボルトであって、前記筒体の外形はその挿入先端側の外径が後端側の外径よりも先端方向に向かって次第に小さく、前記筒体の中空部の内径はその後端側の内径よりも先端方向に向かって次第に小さく、前記筒体の先端側には先端から軸方向に向かって複数の切り込み部が形成されており、予め後端側の中空部に挿入された駒を、先端側の中空部に叩き込んで前記筒体の先端側を拡大させて固定することを特徴とする。
【０００６】
請求項２の発明は、請求項１に記載のアンカーボルトにおいて、予め挿入される駒の先端側の外形は先端に向かって次第に小さいことを特徴とする。
【０００７】
請求項３の発明は、請求項２に記載のアンカーボルトにおいて、駒は、駒の先端側が先端側の中空部に予め嵌合された状態であることを特徴とする。
【０００８】
請求項４の発明は、請求項１乃至請求項３の何れかに記載のアンカーボルトにおいて、筒体の挿入先端側の外周には、挿入方向に対しては抵抗が小さく、引き抜き方向に対しては抵抗が大きい引抜防止手段を設けたことを特徴とする。
【０００９】
請求項５の発明は、請求項４に記載のアンカーボルトにおいて、引抜防止手段は、筒体の軸方向断面において上辺が挿入先端側に向く台形状であることを特徴とする。
【００１０】
請求項６の発明は、請求項５に記載のアンカーボルトにおいて、引抜防止手段は、台形状が複数重ねられた形状であることを特徴とする。
【００１１】
請求項７の発明は、請求項１乃至請求項６の何れかに記載のアンカーボルトにおいて、筒体の後端側には、当該筒体との連結の手掛かりとなる連結手段を備えたことを特徴とする。
【００１２】
請求項８の発明は、請求項１乃至請求項４の何れかに記載のアンカーボルトにおいて、筒体の後端側の中空部の内周には、筒の後端からのボルトを受け入れる雌ネジが形成されていることを特徴とする。
【発明の効果】
【００１３】
請求項１乃至請求項８の発明によれば、何れも、従来のアンカーボルトに比べて、その構成部品点数が最小数である上に、構造が単純で、製作工程ガ少なくて済み、しかも、高度な技術を要さずに、比較的短時間で効率的に生産することができるので、生産コストを低減することができ、安価で強力なアンカーボルトを提供できる。
【００１４】
請求項１、請求項２の発明によれば、何れも、筒体と駒との僅か２物品の構成で済むので、短時間で効率的に生産でき、生産コストを低減して安価で強力なアンカーボルトを提供できる。
【００１５】
請求項３の発明によれば、駒を筒体先端側の中空部にきつく勘合させることができるので、使用前の取り扱いにおいて、駒と筒体との分離を避けることができ、アンカーボルトを単体として扱うことができる。
【００１６】
請求項４乃至請求項６の発明によれば、何れも、打ち込まれて埋設されたアンカーボルトには、引き抜き方向に大きな抵抗が作用するので、アンカーボルトの固定力を高めることができる。
【００１７】
請求項７の発明によれば、予め、アンカーボルトに連結される策状等の連結端の形状に応じた連結手段を設けておくことにより、現場に置ける連結作業を迅速且つ容易に行うことができる。
【００１８】
請求項８の発明によれば、予め、雌ネジを設けておくことによって、相応する市販のボルトを用いて、適宜、連結手段を構じることができる。
【発明を実施するための最良の形態】
【００１９】
以下、実施の最良の形態のアンカーボルトを、図１乃至図に基づいて説明する。図１はアンカーボルトの外観を示す正面図、図２は平面図、図３は底面図、図４は図１のＡ−Ａ断面図、図５は施工終了状態を示す断面図である。
【実施例】
【００２０】
図１乃至図５に示すこの実施例のアンカーボルト１は、１個の筒体１０と１個の駒２０との２物品という最小部品点数で構成される点に特徴がある。
【００２１】
筒体１０の外形は、図５に示すようにコンクリート床３０の床面から深さ方向に予め穿たれた埋設穴３１に、筒体１０を軸方向に挿入埋設するに際して、挿入先端側に当たる筒体１０の前半分側（以下、単に挿入先端側１２という）の外径が、筒体１０の後半分側（以下、単に後端側１３という）の外径よりも先端方向に向かって次第に小さくなるよう形成されている。
【００２２】
尚、筒体１０の挿入先端側１２を上記のように先細り状に形成しているのは、埋設穴３１への挿入を容易にするためであり、必ずしも、先細り状にする必要はなく、後端側１３の外径と同径であってもよい。
又、図示の筒体１０における挿入先端側１２と後端側１３との軸方向の長さ費が約１対１となっているが、これに限定されず、必要に応じて任意である。
【００２３】
筒体１０の中空部１１は、後端側１３の中空部１１３の内径よりも、挿入先端側１２の中空部１１２の内径の方が、先端方向に向かって次第に小さく形成されており、この挿入先端側１２の筒は先端から軸方向に向かって切り込み部１１１が均等間隔で４個形成されている。
【００２４】
図４及び図５において、予め後端側１３の中空部１１３に挿入された駒２０は、筒体１０を埋設穴３１に挿入（筒体１０の後端を叩いて叩き込む場合もある）した後、図示しない道具を用いて、駒２０の後端を叩き、駒２０を挿入先端側１２の中空部１１２に叩き込んで行く。
【００２５】
こうして叩き込まれた駒２０は、筒体１０の挿入先端側１２を拡大させて、挿入先端側１２の少なくとも一部の外径を後端側１３の外径よりも拡大させるため、拡大された挿入先端側１２は筒体１０の後端側方向への引抜に対して強固な抵抗となり、アンカーボルト１の埋設固定化を確実にする。
【００２６】
図４において、この実施例の駒２０は、その先端側の外形が先端に向かって次第に小さい形状として、挿入先端側１２の中空部１１２への浸入に対する抵抗を軽減させて、浸入が容易となるように形成してある。
【００２７】
又、この実施例では、駒２０が予め挿入される位置は、その先端側が挿入先端側１２の中空部１１２に予めきつめに嵌合された状態として、アンカーボルト１が埋設される前即ち、使用前の取り扱いにおいて駒２０と筒体１０とが容易に分離して別体とならないようにしてある。
【００２８】
更に、この挿入先端側１２の外周には、筒体１０の埋設穴３１に対する挿入方向に対しては抵抗が小さく、引き抜き方向に対しては抵抗が大きくなる形状を引抜防止手段１４として設けている。
【００２９】
このような引抜防止手段１４として、図示の例では、筒体の軸方向断面において上辺が挿入先端側に向く台形状を複数段重ねた形状としているが、必ずしも複数段重ねる必要はなく、一段のみで形成してもよい（図示せず）。
尚、当然のことながら、引抜防止手段としては、このような台形状に限られる訳でもない。
【００３０】
図４及び図５において、埋設固定されたアンカーボルト１には、文字通りアンカーとして機能させるものであるから、牽引索状部材やロッド等、何らかの牽引手段の端末が連結される。このための連結の手掛かりとなる連結手段として、筒体１０の後端側１３の中空部１１３の内周には、当該筒体１０の後端から挿入される連結手段としてのボルト４０を受け入れる雌ネジ４１が形成されている。
【００３１】
尚、連結手段としては、このような雌ネジ４１やボルト４０等に限らず、予め筒体１０の後端側に、牽引索状部材やロッドの端部が連結できるフックやリング等の係合手段を、適宜、牽引手段として設けておくこともできる。
【産業上の利用可能性】
【００３２】
本発明のアンカーボルトは、コンクリート等に限らず、強固な床面や壁面のアンカーボルトとしても広く適用することができる。
【図面の簡単な説明】
【００３３】
【図１】アンカーボルトの外観を示す正面図である。
【図２】平面図である。
【図３】底面図である。
【図４】図１のＡ−Ａ断面図である。
【図５】施工終了状態を示す断面図である。
【符号の説明】
【００３４】
１  アンカーボルト
１０  筒体
１１  中空部
１２  挿入先端側
１１２  中空部（挿入先端側）
１３  後端側
１１３  中空部（後端側）
１４  引抜防止手段
２０  駒
３０  コンクリート床
３１  埋設穴
４１  雌ネジ（連結手段）
【図１】
2007284865.tif 000003
【図２】
2007284865.tif 000004
【図３】
2007284865.tif 000005
【図４】
2007284865.tif 000006
【図５】
2007284865.tif 000007